(57)【要約】      （修正有）【課題】風船止め具が使用された場合の安全性や、保管・持運び等のし易さの点及びディスプレイ等の種々の利用法に対応する点を考慮し利便性を高めた風船止め具を提供する。【解決手段】棒状に形成された柄部２０の一端部に風船支持リング部１０を設け、当該一端部近傍に風船口止め部３０が設けられた風船止め具１において、柄部２０の他端部の先端に係止部５０を設けると共に当該係止部５０を係止するための係止突起４０を柄部２０に設ける。柄部２０を折り曲げ係止部５０の係止孔５１を係止突起４０に嵌め込み係止すると、風船止め具１の柄部２０部分で把持部７０が形成される。【選択図】図６
0003113434.tif 000002
【実用新案登録請求の範囲】
【請求項１】
棒状に形成された柄部の一端部に風船支持リング部を設け、当該一端部の近傍に風船口止め部が設けられた風船止め具において、
柄部の他端部に係止部を設けると共に当該係止部を係止するための係止突起を柄部に設け、
当該係止部が当該係止突起に係止された際には輪状の把持部が形成されることを特徴とする風船止め具。
【請求項２】
前記係止突起は、前記風船口止め部よりも他端部側に設けられると共に、前記係止部は当該係止突起に着脱自在に係止可能とした輪状に形成されていることを特徴とする請求項１に記載の風船止め具。
【請求項３】
前記係止部に設けられた係止孔と、前記係止突起とは、同一方向に向くように形成されていることを特徴とする請求項２に記載の風船止め具。
【請求項４】
輪状に形成された前記係止部に切欠け部を設けたことを特徴とする請求項２又は３のいずれかに記載の風船止め具。
【考案の詳細な説明】
【技術分野】
【０００１】
本考案は、膨らませた風船を取付け支持するための風船止め具に関するものである。
【背景技術】
【０００２】
従来の風船止め具においては、柄の一端部に設けられた風船支持リングにどのように風船を止めるかを解決するための構成が開示されている。例えば、柄部の片方の末端部にリング部を設け、該末端部の近くにガス止部を設け、このガス止部はその上部が柄部に固定または一体化されていて該上部から下方に柄部に実質的に平行または少し斜め方向にのびた短枝状形態のものであり、前記のリング部と柄部との境界部またはその近傍にヒンジ部において前記リング部を曲げることができるようにしたゴム風船用止め具が開示されている（特許文献１）。また、保持棒の一端が折り曲げられており、折り曲げられた先端に該保持棒の軸線に対して直角に向けられかつ当該保持棒の軸線延長上にリング中心部が位置する支持リングが設けられている風船玩具の止め具が開示されている（特許文献２）。
【０００３】
しかしながら、これら従来の構成からなる風船止め具では、風船をこれらの風船止め具に止めた後、風船を持ち運ぶと、止め具の先端部分が子供の目や顔に当たった場合に、子供の目や顔を傷つけてしまう恐れがあった。また、持ち手部分が単に棒状の柄となっているため持ち運びしにくかった。従って、風船にガスを入れた場合には風船が飛んでいってしまうことが多いため、環境問題に配慮すると、ガスを入れた風船にはそれ自体だけでは使用することが出来なかった。
【０００４】
そこで、これらの問題点の内幾つかを解決すべく、しっかりと手に持てるように構成した風船支持具が開示されている。具体的には、膨らませた風船を支持棒の一方の端部に取付けて支持する風船支持具において、該支持棒の他方の端部の構造を、輪状に折り曲げた構造とした風船支持具が開示されている（特許文献３）。
【０００５】
【特許文献１】実開昭５８−１９３９９２号公報
【特許文献２】実開平２−１１４０９７号公報
【特許文献３】特開２００４−２４３７３
【考案の開示】
【考案が解決しようとする課題】
【０００６】
ところが、上記特許文献３に開示された構造であっても、最初から支持棒を輪状に折り曲げた構造とした場合には、これを保管・持運び等しにくいという問題がある。また、持ち手部分（柄部分）を棒状又は輪状に自由に形成することが出来れば、利用する前には棒状の状態で保管・持運び等できる一方、使用時には持ち手を形成出来るので、子供等でも持ち易くなる。また、輪状にする前の棒状の状態であっても、子供の目や顔に風船止め具の先端が触れても安全な形状に構成する必要がある。更に、ガスを入れた風船に利用しても、最初から持ち手を形成していては、ディスプレイ等の他の用途に使用しにくいものであった。
【０００７】
本考案の目的は、上記従来の問題点に鑑みてなされたものであり、風船止め具が使用された場合の安全性や、保管・持運び等のし易さの点及びディスプレイ等の種々の利用法に対応する点を考慮し利便性を高めた風船止め具を提供することにある。
【課題を解決するための手段】
【０００８】
本考案に係る風船止め具は、棒状に形成された柄部の一端部に風船支持リング部を設け、当該一端部の近傍に風船口止め部が設けられた風船止め具において、柄部の他端部に係止部を設けると共に当該係止部を係止するための係止突起を柄部に設け、当該係止部が当該係止突起に係止された際には輪状の把持部が形成されることを特徴とする。
【０００９】
本考案に係る風船止め具の前記係止突起は、前記風船口止め部よりも他端部側に設けられると共に、前記係止部は当該係止突起に着脱自在に係止可能とした輪状に形成されていることを特徴とする。
【００１０】
本考案に係る風船止め具において、前記係止部に設けられた係止孔と、前記係止突起とは、同一方向に向くように形成されていることを特徴とする。
【００１１】
本考案に係る風船止め具において、輪状に形成された前記係止部に切欠け部を設けたことを特徴とする。
【考案の効果】
【００１２】
本考案に係る風船止め具は、柄部のいずれかの先端に係止部を設けると共に当該係止部を係止するための係止突起を柄部に設け、当該係止部が当該係止突起に係止された際には輪状の把持部が形成されるように構成されている。従って、風船止め具の柄部に輪状の把持部が形成されるので、この輪状の把持部に手指をかけることにより、風船止め具を持ち易くなる。よって、力の弱い子供であっても風船止め具を持ち易くなる。また、風船止め具は、棒状に形成されているので、この状態で保管・持運び等し易くなる。
【００１３】
また、本考案に係る風船止め具における係止突起は、前記風船口止め部よりも他端部側に設けられると共に、前記係止部は当該係止突起に着脱自在に係止可能とした輪状に形成されている。このように係止部を係止突起に着脱自在に構成したので、使用していない場合には棒状のものとして保管・持運び等し易くなる。また、風船止め具の端部に形成される係止部が輪状に形成される。従って、子供の目や顔に風船止め具の先端であるこの輪が触れても子供が怪我をし難い安全な形状となっている。また、この係止部の係止孔に、任意の紐等をこの輪に通すことによりディスプレイ等の他の用途にも使用することが可能となる。
【００１４】
また、本考案に係る風船止め具における係止部に設けられた係止孔と、係止突起とは、同一方向に向くように形成されている。これにより、柄部を折り曲げて係止部を係止突起に係止し易くなる。
【００１５】
本考案に係る風船止め具において、輪状に形成された前記係止部に切欠け部を設けたことにより、係止部を係止突起の上部から押し込む際に、係止部である輪が広がるので係止し易くなる。また、係止突起の側面から係止部の切欠け部を当て切欠け部を押し広げることにより、係止部を係止することも可能となるので、係止部を係止突起に係止し易くなる。
【考案を実施するための最良の形態】
【００１６】
風船止め具をより利用し易くすると共に更に安全性を高める目的を、簡単な構成で実現した。
【実施例】
【００１７】
図１乃至図７は、本考案の一実施例に係る風船止め具を示す図である。図１は、本実施例に係る風船止め具の斜視図である。図２は、本実施例に係る風船止め具の側面図である。図３は、本実施例に係る風船止め具の正面図である。図４は、本実施例に係る風船止め具の平面図である。図５（１），（２）は、本実施例に係る風船止め具の係止部の他の実施例を示した一部切欠け拡大図である。図６は、本実施例に係る風船止め具の使用状態を示す図であり、図７は、当該使用状態において人が把持した状態を示す図である。図８は、本実施例に係る風船止め具の係止部の輪に紐を通してディスプレイ等に利用する状態を示した図である。図１乃至図７中、１は風船止め具、１０は風船支持リング、１１は切欠け部、２０は柄部、３０は風船口止め具、風船口止め部の根本部、４０は係止突起、４１は返し部、５０は係止部、５１は係止孔、５２，５３は係止部の切欠け部、６０はゴム風船、６１は風船口部、７０は把持部、８０は紐である。
【００１８】
本実施例に係る風船止め具１は、合成樹脂材等のある程度の強度を有する柔軟性素材で一体成型され、風船支持リング１０と柄部２０と風船口止め部３０と係止突起４０と係止部５０とから構成される。風船支持リング１０は、棒状に形成された柄部２０の一端部側の端部に柄部２０の軸線に対し略直角になるようにリングが形成されている。この風船支持リング１０の厚み及び幅は、ゴム風船６０を支持できる範囲であれば、勿論変更可能である。また、この風船支持リング１０には、切欠け部１１が設けられる。この切欠け部１１は、柄部２０が設けられた部分と対向する位置に設けられている。この切欠け部は、ゴム風船６０を風船支持リング１０に装着する場合に、ゴム風船口部６１をこの切欠け部１１に通すようにして使用されるものである。
【００１９】
柄部２０は、所定の長さを有する円柱の棒形状に形成されているが、棒形状であれば良いため多角柱形状に形成されても良いことは勿論である。風船口止め部３０は、柄部２０の風船支持リング１０が形成された端部近傍に形成されている。形成される位置は、ゴム風船６０を風船支持リング１０に支持する際に、ゴム風船口部６１を係止できる位置に設けられていれば良いものである。この風船口止め部３０は、柄部２０に対しＴ字形状に形成される。この風船口止め部３０の根本部３１に、ゴム風船口部６１を巻きつけることによりゴム風船口部６１を係止するものである。なお、この風船口止め部３０は、風船口を係止して止められれば良いため、その形状はＴ字形状に限定されることはなく、鉤形状等であっても良いことは勿論である。
【００２０】
係止突起４０は、柄部２０に対して略直角に突出して形成されている。係止突起４０は、風船口止め部３０よりも係止部５０側（柄部２０の他端部側）に形成されている。係止突起４０の先端には返し部４１が形成され、係止部５０が係止された際に、抜けにくい構造となっている。この係止突起４０が柄部２０に形成される位置は、柄部２０を折り曲げて係止部５０が当該係止突起４０に係止可能な位置にあれば良いものである。
【００２１】
係止部５０は、柄部２０の他端部側の端部に、柄部２０の軸線上に輪状に形成され、係止孔５１が設けられている。この係止孔５１を、係止突起４０に嵌め込み係止することにより使用される。この係止孔５１と係止突起４０は、いずれの方向に向いていても係止できるものであるが、より使用し易くするためには、当該係止孔５１と当該係止突起４０は、同一の方向に向くように形成されるのが好ましい。また、図５（１）（２）に示すように、この輪状に形成された係止部５０に切欠け部５２，５３を設けても良い。この切欠け部５２，５３により、係止部５０を係止突起４０に係止することが容易となるので、更に使用しやすくなる。この切欠け部５２，５３は任意の位置に設けられれば良いものである。
【００２２】
次に、本実施例に係る風船止め具１の使用方法を説明する。先ず、利用者は、ゴム風船６０を膨らませ、ゴム風船口部６１を引伸ばしながら風船支持リング１０の切欠け部１１を通す。次にゴム風船口部６１を引伸ばしながら風船口止め部３０の根本部３１に巻きつけて係止する。その後、柄部２０を折り曲げ係止部５０の係止孔５１を係止突起４０に嵌め込み係止する。すると、風船止め具１の柄部２０部分で輪が形成され図６に示す状態となる。この柄部２０により形成された輪（即ち、把持部７０）により、図７に示すように利用者は持つことが出来るので把持が容易となる。更に、他の用途としては、図８に示すように係止部５０の係止孔５１に紐７０等を通すことによりディスプレイ用としても利用可能となる。
【００２３】
本実施例に係る風船止め具１によれば、柄部２０のいずれかの端部に係止部５０を設けると共に当該係止部５０を係止するための係止突起４０を柄部２０に設け、当該係止部５０が当該係止突起４０に係止された際には輪状の把持部７０が形成されるように構成されている。従って、風船止め具１の柄部２０に輪状の把持部７０が形成されるので、この輪状の把持部７０に手指をかけることにより、風船止め具１を持ち易くなる。よって、力の弱い子供であっても風船止め具１を持ち易くなる。また、風船止め具１は、棒状に形成されているので、この状態で保管・持運び等し易くなる。
【００２４】
また、本実施例に係る風船止め具１によれば、係止突起４０は、風船口止め部３０よりも係止部５０側（柄部２０の他端部側）に設けられると共に、前記係止部５０は当該係止突起４０に着脱自在に係止可能とした輪状に形成されている。このように係止部５０を係止突起４０に着脱自在に構成したので、使用していない場合には棒形状のものとして保管・持運び等し易くなる。また、風船止め具１の端部に形成される係止部５０が輪状に形成されるので、子供の目や顔に風船止め具１の先端であるこの輪が触れても子供が怪我をし難い安全な形状となっている。また、この係止部５０が輪状に形成されることから、任意の紐等をこの輪に通すことによりディスプレイ等の他の用途にも使用することが可能となる。
【００２５】
また、本考案に係る風船止め具１によれば、係止部５０に設けられた係止孔５１と、係止突起４０とは、同一方向に向くように形成されている。これにより、柄部２０を折り曲げて係止部５０を係止突起４０に係止し易くなる。
【００２６】
また、本実施例に係る風船止め具１によれば、輪状に形成された前記係止部５０に切欠け部５２，５３を設けたので、係止部５０を係止突起４０の上部から押し込む際に、係止部５０である輪が広がるので係止し易くなる。また、係止突起４０の側面から係止部５０の切欠け部５２，５３を当て切欠け部５２，５３を押し広げることにより、係止部５０を係止することも可能となるので、係止部５０を係止突起４０に係止し易くなる。
【図面の簡単な説明】
【００２７】
【図１】図１は、本実施例に係る風船止め具の斜視図である。
【図２】図２は、本実施例に係る風船止め具の側面図である。
【図３】図３は、本実施例に係る風船止め具の正面図である。
【図４】図４は、本実施例に係る風船止め具の平面図である。
【図５】図５（１），（２）は、本実施例に係る風船止め具の係止部の他の実施例を示した一部切欠け拡大図である。
【図６】図６は、本実施例に係る風船止め具の使用状態を示すである。
【図７】図７は、当該使用状態において人が把持した状態を示す図である。
【図８】図８は、本実施例に係る風船止め具の係止部の輪に紐を通してディスプレイ等に利用する状態を示す図である。
【符号の説明】
【００２８】
１    風船止め具
１０    風船支持リング
１１    切欠け部
２０    柄部
３０    風船口止め部
３１    根本部
４０    係止突起
４１    返し部
５０    係止部
５１    係止孔
５２，５３  切欠け部
６０    ゴム風船
６１    ゴム風船口部
７０    把持部
８０    紐
【図１】
0003113434.tif 000003
【図２】
0003113434.tif 000004
【図３】
0003113434.tif 000005
【図４】
0003113434.tif 000006
【図５】
0003113434.tif 000007
【図６】
0003113434.tif 000008
【図７】
0003113434.tif 000009
【図８】
0003113434.tif 000010